(57)【要約】【課題】サブタンクにポンプモジュールを組み付けるときにプレッシャレギュレータとジェットポンプとの結合が容易であり、プレッシャレギュレータとジェットポンプとの結合に配管が不要な燃料供給装置を提供する。【解決手段】フィルタケース３２の蓋部３６に、第１リブおよび第２リブ４８が形成されている。サブタンク２０の底部内側にジェットポンプ７０の燃料入口７２が形成されている。燃料入口７２の内周面７３は、プレッシャレギュレータ６０の燃料出口６１が結合する方向に向けて縮径するテーパ状である。サブタンク２０にポンプモジュールを組み付けるとき、プレッシャレギュレータ６０の燃料出口６１はジェットポンプ７０の燃料入口７２の内周面７３に案内されて燃料入口７２と結合する。第１リブはポンプモジュールとサブタンク２０との芯合わせを行う。第２リブ４８はサブタンク２０に対するポンプモジュールの回転方向の位置決めを行う。【選択図】　　　図１
2004028054.tif 000002
【特許請求の範囲】
【請求項１】
燃料タンク内に収容され、前記燃料タンク内の燃料を燃料タンク外に供給する燃料供給装置において、
吸入した燃料を吐出する燃料ポンプと、
前記燃料ポンプが吐出する燃料中の異物を除去するフィルタエレメント、ならびに前記フィルタエレメントを収容しているフィルタケースを有する燃料フィルタと、
前記燃料フィルタから流出する燃料の圧力を調整するプレッシャレギュレータと、
前記燃料タンク内に設置され、前記燃料フィルタ、前記燃料ポンプおよび前記プレッシャレギュレータを収容するサブタンクと、
前記プレッシャレギュレータから排出される余剰燃料を噴出する際に発生する負圧により前記燃料タンク内の燃料を吸い込み前記サブタンク内に送出するジェットポンプとを備え、
前記燃料ポンプ、前記燃料フィルタおよび前記プレッシャレギュレータは前記サブタンクに一体に組付可能なポンプモジュールを構成しており、
前記ジェットポンプの燃料入口は前記サブタンク内に形成され、前記プレッシャレギュレータの燃料出口は前記ジェットポンプの燃料入口と直接結合しており、
前記プレッシャレギュレータの燃料出口または前記ジェットポンプの燃料入口の一方は結合するときに他方を案内する案内部を有していることを特徴とする燃料供給装置。
【請求項２】
前記案内部は前記ジェットポンプの燃料入口の内周面であり、前記内周面は前記プレッシャレギュレータの燃料出口が結合する方向に縮径するテーパ状であることを特徴とする請求項１記載の燃料供給装置。
【請求項３】
前記ポンプモジュールは、前記サブタンクに組み付けるときに前記サブタンクに対する位置決めを行うモジュール位置決め部を有していることを特徴とする請求項１または２記載の燃料供給装置。
【請求項４】
燃料タンク内に収容され、前記燃料タンク内の燃料を燃料タンク外に供給する燃料供給装置において、
吸入した燃料を吐出する燃料ポンプと、
前記燃料ポンプが吐出する燃料中の異物を除去するフィルタエレメント、ならびに前記フィルタエレメントを収容しているフィルタケースを有する燃料フィルタと、
前記燃料フィルタから流出する燃料の圧力を調整するプレッシャレギュレータと、
前記燃料タンク内に設置され、前記燃料フィルタ、前記燃料ポンプおよび前記プレッシャレギュレータを収容するサブタンクと、
前記プレッシャレギュレータから排出される余剰燃料を噴出する際に発生する負圧により前記燃料タンク内の燃料を吸い込み前記サブタンク内に送出するジェットポンプとを備え、
前記ジェットポンプの燃料入口は前記サブタンク内に形成され、前記プレッシャレギュレータの燃料出口は前記ジェットポンプの燃料入口と直接結合しており、
前記燃料ポンプ、前記燃料フィルタおよび前記プレッシャレギュレータは前記サブタンクに一体に組付可能なポンプモジュールを構成しており、前記ポンプモジュールは、前記サブタンクに組み付けるときに前記サブタンクに対する位置決めを行うモジュール位置決め部を有していることを特徴とする燃料供給装置。
【請求項５】
前記モジュール位置決め部は、前記サブタンクに対し前記ポンプモジュールの芯を合わせる第１位置決め部と、前記サブタンクに対し前記ポンプモジュールの回転方向の位置決めを行う第２位置決め部とを有していることを特徴とする請求項３または４記載の燃料供給装置。
【請求項６】
前記第２位置決め部は前記サブタンクに対する前記ポンプモジュールの回転を規制することを特徴とする請求項５記載の燃料供給装置。
【請求項７】
前記プレッシャレギュレータの燃料入口は前記フィルタケースの燃料出口と直接結合していることを特徴とする請求項１から６のいずれか一項記載の燃料供給装置。
【請求項８】
前記フィルタケースまたは前記プレッシャレギュレータは、前記フィルタケースの燃料出口と前記プレッシャレギュレータの燃料入口とを結合するときに前記フィルタケースと前記プレッシャレギュレータとの位置決めを行うレギュレータ位置決め部を有していることを特徴とする請求項７記載の燃料供給装置。
【請求項９】
前記フィルタケースと前記プレッシャレギュレータとはスナップフィットにより係合し、前記フィルタケースから前記プレッシャレギュレータが脱落することを防止していることを特徴とする請求項７または８記載の燃料供給装置。
【請求項１０】
前記燃料ポンプの燃料吐出口は前記フィルタケースの燃料入口と直接結合していることを特徴とする請求項１から９のいずれか一項記載の燃料供給装置。
【請求項１１】
前記フィルタケースは、前記フィルタケースから前記燃料ポンプが脱落することを防止する保持部を有していることを特徴とする請求項１０記載の燃料供給装置。
【発明の詳細な説明】
【０００１】
【発明の属する技術分野】
本発明は、インタンク式の燃料供給装置に関する。
【０００２】
【従来の技術】
燃料タンク内に収容され、燃料タンク内の燃料を燃料タンク外の装置に供給する従来のインタンク式の燃料供給装置として、図５および図６に示すものが知られている。
燃料供給装置１００のフランジ１０２は、図示しない燃料タンクに取り付けられる。燃料フィルタ１１０のフィルタケース１１２は金属パイプ１０６によりフランジ１０２と連結している。フィルタケース１１２は断面円弧状に形成されており、燃料ポンプ１２０の周囲を覆っている。燃料フィルタ１１０、燃料ポンプ１２０およびプレッシャレギュレータ１３０はサブタンク１３２内に収容されている。燃料ポンプ１２０は、インペラ等の回転部材が回転することにより、吸入した燃料を吐出する。燃料ポンプ１２０が吐出した燃料は、フィルタケース１１２内に収容されているフィルタエレメントにより異物を除去され、プレッシャレギュレータ１３０により圧力を調整され燃料吐出管１０４から燃料タンク外のインジェクタ等に供給される。
【０００３】
プレッシャレギュレータ１３０とジェットポンプ１４０とは蛇腹管１４２で結合されている。ジェットポンプ１４０はプレッシャレギュレータ１３０から排出される余剰燃料を噴出し、燃料入口１３４からサブタンク１３２内に燃料タンク内の燃料を送出する。
【０００４】
【発明が解決しようとする課題】
しかしながら、プレッシャレギュレータ１３０はサブタンク１３２内に収容されており、ジェットポンプ１４０はサブタンク１３２の外に設置されているので、サブタンク１３２の周壁を越えて蛇腹管１４２でプレッシャレギュレータ１３０の燃料出口とジェットポンプ１４０の燃料入口とを結合する必要がある。蛇腹管１４２の長さが長くなり、蛇腹管１４２の取り回しが煩雑である。
【０００５】
本発明の目的は、サブタンクにポンプモジュールを組み付けるときにプレッシャレギュレータとジェットポンプとの結合が容易であり、プレッシャレギュレータとジェットポンプとの結合に配管が不要な燃料供給装置を提供することにある。
本発明の他の目的は、ポンプモジュールを構成する部品の脱落を防止し、サブタンクにポンプモジュールを容易に組み付けることができる燃料供給装置を提供することにある。
【０００６】
【課題を解決するための手段】
本発明の請求項１から４のいずれか一項記載の燃料供給装置によると、ジェットポンプの燃料入口はサブタンク内に形成されており、プレッシャレギュレータの燃料出口はジェットポンプの燃料入口と直接結合している。したがって、プレッシャレギュレータの燃料出口とジェットポンプの燃料入口とを結合する配管が不要である。
【０００７】
また、燃料ポンプ、燃料フィルタおよびプレッシャレギュレータはサブタンクに一体に組付可能なポンプモジュールを構成している。ポンプモジュールとしてサブタンクに一体に組付可能であれば、燃料ポンプ、燃料フィルタおよびプレッシャレギュレータ以外の部品が燃料ポンプ、燃料フィルタおよびプレッシャレギュレータとともにポンプモジュールを構成してもよい。
【０００８】
本発明の請求項１記載の燃料供給装置によると、サブタンクにポンプモジュールを組み付けるとき、プレッシャレギュレータの燃料出口またはジェットポンプの燃料入口の一方が他方を案内してプレッシャレギュレータの燃料出口とジェットポンプの燃料入口とが結合する。したがって、ジェットポンプの燃料入口とプレッシャレギュレータの燃料出口とを直接結合するときの位置決めが容易である。
【０００９】
本発明の請求項２記載の燃料供給装置によると、ジェットポンプの燃料入口の内周面は、プレッシャレギュレータの燃料出口が結合する方向に縮径するテーパ状に形成されている。サブタンクにポンプモジュールを組み付けるとき、ジェットポンプの燃料入口に形成されたテーパ状内周面によりプレッシャレギュレータの燃料出口が滑らかに案内される。
【００１０】
本発明の請求項３または４記載の燃料供給装置によると、ポンプモジュールは、サブタンクに組み付けるときにサブタンクに対する位置決めを行うモジュール位置決め部を有している。サブタンクにポンプモジュールを組み付けるときの位置決めを、容易にかつ高精度に行うことができるので、ジェットポンプの燃料入口とポンプモジュールを構成するプレッシャレギュレータの燃料出口とを結合するときの位置決めを容易に、かつ高精度に行うことができる。
【００１１】
本発明の請求項５記載の燃料供給装置によると、サブタンクにポンプモジュールを組み付けるときの位置決めを行うモジュール位置決め部は、サブタンクに対しポンプモジュールの芯を合わせる第１位置決め部と、サブタンクに対しポンプモジュールの回転方向の位置決めを行う第２位置決め部とを有している。モジュール位置決め部が芯合わせと回転方向の位置決めを行うので、ジェットポンプの燃料入口とプレッシャレギュレータの燃料出口とを結合するときの位置決めを高精度に行うことができる。
【００１２】
本発明の請求項６記載の燃料供給装置によると、第２位置決め部はサブタンクに対するポンプモジュールの回転を規制するので、サブタンクにポンプモジュールを組み付けた後にサブタンクに対しポンプモジュールが回転しない。したがって、ジェットポンプの燃料入口とプレッシャレギュレータの燃料出口との結合を確実に保持できる。
【００１３】
本発明の請求項７記載の燃料供給装置によると、プレッシャレギュレータの燃料入口はフィルタケースの燃料出口と直接結合している。プレッシャレギュレータの燃料入口とフィルタケースの燃料出口とを結合する配管が不要であるから、ポンプモジュールの構成が簡素化される。
【００１４】
本発明の請求項８記載の燃料供給装置によると、フィルタケースまたはプレッシャレギュレータは、フィルタケースの燃料出口とプレッシャレギュレータの燃料入口とを結合するときにフィルタケースとプレッシャレギュレータとの位置決めを行うレギュレータ位置決め部を有している。フィルタケースに対するプレッシャレギュレータの位置決めを高精度に行うことができるので、モジュール位置決め部により位置決めを行いながらサブタンクにポンプモジュールを組み付けるとき、ジェットポンプの燃料入口とプレッシャレギュレータの燃料出口との位置決めを高精度に行うことができる。
【００１５】
本発明の請求項９記載の燃料供給装置によると、フィルタケースとプレッシャレギュレータとはスナップフィットにより係合し、フィルタケースからプレッシャレギュレータが脱落することを防止している。フィルタケースからプレッシャレギュレータが脱落しないので、サブタンクにポンプモジュールを容易に組み付けることができる。
【００１６】
本発明の請求項１０記載の燃料供給装置によると、燃料ポンプはフィルタケースの燃料入口と直接結合している。燃料ポンプとフィルタケースとの結合に配管が不要であるから、ポンプモジュールの構成が簡素化される。
本発明の請求項１１記載の燃料供給装置によると、フィルタケースは、フィルタケースから燃料ポンプが脱落することを防止する保持部を有している。フィルタケースから燃料ポンプが脱落しないので、サブタンクにポンプモジュールを容易に組み付けることができる。
【００１７】
【発明の実施の形態】
以下、本発明の実施の形態を示す実施例を図に基づいて説明する。
本発明の一実施例による燃料供給装置を図１に示す。燃料供給装置１０の取付部材としてのフランジ１１は円板状に形成されており、樹脂で一体成形された図示しない燃料タンクの上壁に係止されて取付けられている。燃料供給装置１０のフランジ１１以外の部品は燃料タンク内に収容されている。
【００１８】
フランジ１１に、燃料吐出管１２および電気コネクタ１４が組み付けられている。燃料吐出管１２は、サブタンク２０内に収容されている燃料ポンプ５６から吐出された燃料を燃料タンクの外部に供給する管である。電気コネクタ１４は、リード線１５により電気駆動式の燃料ポンプ５６に電力を供給する。
【００１９】
金属パイプ１６の一端はフランジ１１に圧入されており、他端はフィルタケース３２の蓋部３６に緩く挿入されている。スプリング１８は、フランジ１１とフィルタケース３２の蓋部３６とを互いに離れるように付勢している。蓋部３６はサブタンク２０の開口部内周壁に形成されている段部２２に係止され図１の下方への移動を規制されている。したがって、樹脂製の燃料タンクが温度変化による内圧の変化や燃料量の変化で膨張および収縮しても、スプリング１８の付勢力によりサブタンク２０の底部は燃料タンクの内側底面に常に押し付けられている。
【００２０】
サブタンク２０の内部には、サクションフィルタ１９、燃料フィルタ３０、燃料ポンプ５６およびプレッシャレギュレータ６０等が収容されている。サクションフィルタ１９は、燃料ポンプ５６がサブタンク２０内から吸入する燃料に含まれる比較的大きな異物を捕集する。
【００２１】
サブタンク２０は有底円筒状に形成されている。図３に示すように、サブタンク２０の筒部２４には、周方向の一部に軸方向に延びる凹部２５が形成されている。また、筒部２４の開口周縁上に、フィルタケース３２との組付方向に延びる突出部２６が周方向に離れて３箇所形成されている。突出部２６には開口部２６ａが形成されている。サブタンク２０の底部内側にジェットポンプ７０の燃料入口７２が形成されている。燃料入口７２の案内部としての内周面７３は、プレッシャレギュレータ６０の燃料出口６１が結合する方向に向けて縮径するテーパ状に形成されている。
【００２２】
燃料フィルタ３０は、フィルタケース３２とフィルタケース３２内に収容されている図示しないフィルタエレメントとを有している。フィルタエレメントは燃料ポンプ５６から吐出される燃料に含まれる比較的小さな異物を捕集する。フィルタケース３２は断面円弧状に形成されており、燃料ポンプ５６の周囲を覆っている。フィルタケース３２は、ケース本体３４と、ケース本体３４の上部を覆いサブタンク２０の段部２２（図１参照）に係止されている蓋部３６とを有している。
【００２３】
蓋部３６を燃料ポンプ５６側から見た図を図２に示す。蓋部３６の外周にサブタンク２０に形成した凹部２５と対応する凹部３７が形成されている。蓋部３６には、蓋部３６の外周縁からフランジ１１側に延びる突出部３８（図１参照）、燃料ポンプ５６の燃料吐出口と直接結合する燃料入口３９、燃料ポンプ５６の爪５７と係合する開口部４０ａを有する保持部４０、燃料ポンプ５６の燃料吐出側を圧入する圧入部４１、リード線１５と電気的に接続する電気コネクタ４２、燃料ポンプ５６が吐出した燃料をケース本体３４内に導入する連通口４４、第１リブ４６および第２リブ４８が形成されている。
【００２４】
図１および図３に示すように、突出部３８は、サブタンク２０の突出部２６と対応する周方向位置に形成されており、突出部２６の開口部２６ａとスナップフィットで係合する爪３８ａを有している。モジュール位置決め部の第１位置決め部としての第１リブ４６は、サブタンク２０の筒部２４の内周面と当接している。モジュール位置決め部の第２位置決め部としての第２リブ４８は、サブタンク２０の凹部２５の内周面と当接している。
【００２５】
燃料ポンプ５６は、図１に示す状態で、つまり燃料吐出側を鉛直方向上側に、燃料吸入側５８を鉛直方向下側にしてサブタンク２０内に収容されている。燃料ポンプ５６は、内部に図示しない電気駆動部としてのモータを有し、モータとともに回転する回転部材であるインペラの回転により燃料吸引力を発生する。燃料ポンプ５６の燃料吐出口はフィルタケース３２の燃料入口３９に嵌合し直接結合している。
【００２６】
燃料ポンプ５６の燃料吐出口を含む燃料吐出側は樹脂で覆われている。燃料ポンプ５６の燃料吐出側の外周縁の径方向反対側に爪５７が２個形成されている。蓋部３６の圧入部４１の内周側に、燃料ポンプ５６の爪５７を外側から挟むように保持部４０が２個形成されている。保持部４０には４角形状の開口部４０ａが形成されている。爪５７は所謂スナップフィットにより開口部４０ａに嵌合し係合している。これにより、燃料フィルタ３０から燃料ポンプ５６が脱落することを防止している。燃料ポンプ５６の燃料吐出側の全周は、蓋部３６に形成した円筒状の圧入部４１に圧入している。燃料ポンプ５６の回転軸に対し燃料吐出側と反対側の燃料吸入側５８は他部品に支持されておらず、自由状態である。
【００２７】
プレッシャレギュレータ６０は、燃料ポンプ５６から吐出され燃料フィルタ３０から配管２８を通り燃料吐出管１２に向かう燃料の圧力を調整する。図４に示すように、プレッシャレギュレータ６０の燃料入口６２はケース本体３４に形成されている燃料出口５０に嵌合し直接結合している。プレッシャレギュレータ６０には、レギュレータ位置決め部としての一対の案内部６４が爪６６を挟んで向き合って形成されている。爪６６と一対の案内部６４は、燃料入口６２を挟んで径方向反対側にも形成されている。ケース本体３４の燃料出口５０の開口側に、プレッシャレギュレータ６０の燃料入口６２を挟むように腕部５２が形成されている。腕部５２の両側に開口部５４が形成されており、爪６６は開口部５４にスナップフィットにより係合している。これにより、燃料フィルタ３０からプレッシャレギュレータ６０が脱落することを防止している。プレッシャレギュレータ６０の燃料出口６１はジェットポンプ７０の燃料入口７２に嵌合し直接結合している。プレッシャレギュレータ６０の燃料出口６１とジェットポンプ７０の燃料入口７２との間をＯリング６８がシールしている。
【００２８】
ジェットポンプ７０はサブタンク２０の外側に超音波溶着等により取り付けられている。燃料フィルタ３０から配管２８を通り燃料吐出管１２に向かう燃料の圧力を調整するときにプレッシャレギュレータ６０が燃料出口６１から排出する余剰燃料は、燃料入口７２内の通路を通り、ジェットポンプ７０の図示しないノズルからサブタンク２０に形成した燃料入口に向けて噴出する。ジェットポンプ７０のノズルから燃料を噴出することによりジェットポンプ７０のノズル付近に負圧が生じる。この負圧により燃料タンク内の燃焼がサブタンク２０内に送出される。燃料タンク内の燃料量が減少しても、サブタンク２０内は燃料で充満されている。
【００２９】
次に、燃料供給装置１０の組付時における位置決めについて説明する。本実施例では、フランジ１１、サクションフィルタ１９、フランジ１１と金属パイプ１６で連結されている燃料フィルタ３０、燃料ポンプ５６およびプレッシャレギュレータ６０からなるポンプモジュールをポンプモジュールを組み付ける。
【００３０】
まず、フィルタケース３２の燃料出口５０にプレッシャレギュレータ６０の燃料入口６２を結合するとき、プレッシャレギュレータ６０の案内部６４がフィルタケース３２の腕部５２を両側から挟むことにより、燃料出口５０と燃料入口６２との位置決めを行う。案内部６４で腕部５２を挟みながら燃料出口５０と燃料入口６２とを結合すると、爪６６が開口部５４に係合する。
【００３１】
次に、サブタンクにポンプモジュールを組み付けるとき、蓋部３６の第１リブ４６をサブタンク２０の筒部２４の内周面に当接させることにより、蓋部３６とサブタンク２０、つまりポンプモジュールとサブタンク２０との芯合わせを行う。また、第２リブ４８を筒部２４の凹部２５の内周面に当接させることにより、サブタンク２０に対する蓋部３６、つまりサブタンク２０に対するポンプモジュールの回転方向の位置決めを行う。第１リブ４６によりサブタンク２０とポンプモジュールとの芯合わせをし、第２リブ４８によりサブタンク２０に対するポンプモジュールの回転方向の位置決めを行いながらサブタンク２０にポンプモジュールを組み付けていくと、プレッシャレギュレータ６０の燃料出口６１は燃料入口７２のテーパ状に形成された内周面７３に案内されながら燃料入口７２内に挿入され、プレッシャレギュレータ６０の燃料出口６１とジェットポンプ７０の燃料入口７２とが直接結合する。つまり、サブタンク２０にポンプモジュールを組み付ける方向で、プレッシャレギュレータ６０の燃料出口６１はジェットポンプ７０の燃料入口７２に結合する。そして、サブタンク２０の突出部２６に形成した開口部２６ａに蓋部３６の突出部３８に形成した爪３８ａが係合する。
【００３２】
以上説明した本発明の実施の形態を示す上記実施例では、プレッシャレギュレータ６０の燃料出口６１とジェットポンプ７０の燃料入口７２とが直接結合しているので、プレッシャレギュレータ６０とジェットポンプ７０とを配管等により結合する必要がない。したがって、プレッシャレギュレータ６０とジェットポンプ７０との結合が容易である。
【００３３】
また、フィルタケース３２の蓋部３６に形成した第１リブ４６および第２リブ４８によりサブタンク２０に対するポンプモジュールの芯合わせ、および回転方向の位置決めを行いながらサブタンク２０にポンプモジュールを組み付ける。したがって、ポンプモジュールを構成するプレッシャレギュレータ６０の燃料出口６１と、サブタンク２０の底部内側に形成したジェットポンプ７０の燃料入口７２との位置決めを容易にかつ高精度に行うことができる。
【００３４】
さらに、ジェットポンプ７０の燃料入口７２の内周面７３は、プレッシャレギュレータ６０の燃料出口６１が燃料入口７２と結合する方向に縮径するテーパ状に形成されているので、燃料入口７２の内周面７３が燃料出口６１を滑らかに案内しながら、燃料出口６１と燃料入口７２との位置決めを容易に行うことができる。
【００３５】
さらに、ケース本体３４の燃料出口５０とプレッシャレギュレータ６０の燃料入口６２との位置決めを、案内部６４が腕部５２を挟みながら行うので、フィルタケース３２に対するプレッシャレギュレータ６０の位置決め、つまりポンプモジュールにおけるプレッシャレギュレータ６０の燃料出口６１の位置決めを高精度に行うことができる。したがって、サブタンク２０にポンプモジュールを組付けるときに、燃料出口６１と燃料入口７２との位置決めを高精度に行うことができる。
【００３６】
上記実施例では、燃料フィルタ３０のフィルタケース３２に燃料ポンプ５６およびプレッシャレギュレータ６０を係合し燃料フィルタ３０から燃料ポンプ５６およびプレッシャレギュレータ６０が脱落することを防止している。したがって、サブタンク２０にポンプモジュールを容易に組み付けることができる。
【００３７】
上記実施例では、燃料ポンプ５６の燃料吐出口とフィルタケース３２の燃料入口３９とを直接結合したが、ポンプモジュールとして一体にサブタンク２０に組付可能であるなら、燃料ポンプ５６の燃料吐出口とフィルタケース３２の燃料入口３９とを、直接ではなく配管等により結合してもよい。また、フィルタケース３２の燃料出口５０とプレッシャレギュレータ６０の燃料入口６２とを、直接ではなく配管等により結合してもよい。
【００３８】
上記実施例では、フィルタケース３２の蓋部３６に形成したモジュール位置決め部としての第１リブ４６および第２リブ４８によりサブタンク２０に対するポンプモジュールの位置決めを行ったが、ポンプモジュールを構成する蓋部３６以外の部材にモジュール位置決め部を形成してもよい。また、プレッシャレギュレータ６０側にレギュレータ位置決め部としての案内部６４を形成したが、フィルタケース３２側にレギュレータ位置決め部を形成してもよい。
【００３９】
上記実施例では、ジェットポンプ７０の燃料入口７２内にプレッシャレギュレータ６０の燃料出口６１を挿入し燃料入口７２と燃料出口６１とを直接結合するときの案内部として、ジェットポンプ７０の燃料入口７２の内周面７３をプレッシャレギュレータ６０の燃料出口６１が結合する方向に縮径するテーパ状に形成した。プレッシャレギュレータの燃料出口内にジェットポンプの燃料入口を挿入しプレッシャレギュレータの燃料出口とジェットポンプの燃料入口とを直接結合する場合、案内部としてプレッシャレギュレータの燃料出口の内周面をテーパ状に形成してもよい。また、案内部としてプレッシャレギュレータの燃料出口の内周面またはジェットポンプの燃料入口の一方の内周面を他方が結合する方向に縮径するテーパ状に形成する代わりに、一方の内周面を他方が結合する方向に縮径する凸状または凹状の曲面状、あるいは階段状に形成してもよい。
【図面の簡単な説明】
【図１】本発明の一実施例による燃料供給装置を示す斜視図である。
【図２】フィルタケースの蓋部を燃料ポンプ側から見た図である。
【図３】本実施例による燃料供給装置を示す分解斜視図である。
【図４】本実施例によるフィルタケースとプレッシャレギュレータとの結合状態を示す説明図である。
【図５】従来の燃料供給装置を示す斜視図である。
【図６】従来の燃料供給装置を示す分解斜視図である。
【符号の説明】
１０　　　燃料供給装置
１１　　　フランジ
２０　　　サブタンク
３０　　　燃料フィルタ
３２　　　フィルタケース
３４　　　ケース本体
３６　　　蓋部
４０　　　保持部
４０ａ　　開口部
４６　　　第１リブ（第１位置決め部、モジュール位置決め部）
４８　　　第２リブ（第２位置決め部、モジュール位置決め部）
５０　　　燃料出口
５２　　　腕部
５６　　　燃料ポンプ
５７　　　爪
６０　　　プレッシャレギュレータ
６１　　　燃料出口
６２　　　燃料入口
６４　　　案内部（レギュレータ位置決め部）
７０　　　ジェットポンプ
７２　　　燃料入口
７３　　　内周面（案内部）
【図１】
2004028054.tif 000003
【図２】
2004028054.tif 000004
【図３】
2004028054.tif 000005
【図４】
2004028054.tif 000006
【図５】
2004028054.tif 000007
【図６】
2004028054.tif 000008